(57)【要約】【課題】  状況に応じた最良のバックアップ先に端末情報を保存することで、最新の端末情報を安全かつ確実に復元（復旧）することができる。【解決手段】  端末メモリ１１４，１５０を有する携帯端末装置１００を用いて、該携帯端末装置で利用可能な情報である端末情報のバックアップを行う端末情報バックアップ方法であって、携帯端末装置は、自己が保持する端末情報を、端末メモリに保存し、携帯電話網による無線通信を通じてバックアップサーバ２２０のサーバメモリ２２２に保存し、携帯電話網とは異なる通信方式で、他の携帯端末装置３００の他端末メモリ３０２に保存することを特徴とする、端末情報バックアップ方法が提供される。【選択図】    図２
2008054178.tif 000002
【特許請求の範囲】
【請求項１】
端末メモリを有する携帯端末装置を用いて、該携帯端末装置で利用可能な情報である端末情報のバックアップを行う端末情報バックアップ方法であって、
前記携帯端末装置は、自己が保持する端末情報を、
前記端末メモリに保存し、
携帯電話網による無線通信を通じてバックアップサーバのサーバメモリに保存し、
前記携帯電話網とは異なる通信方式で、他の携帯端末装置の他端末メモリに保存することを特徴とする、端末情報バックアップ方法。
【請求項２】
前記端末情報の保存は、所定の時間間隔で定期的に行われることを特徴とする、請求項１に記載の端末情報バックアップ方法。
【請求項３】
前記端末情報の保存は、前記端末メモリ、サーバメモリおよび他端末メモリとアクセス可能になった直後に行われることを特徴とする、請求項１に記載の端末情報バックアップ方法。
【請求項４】
前記端末メモリは、当該携帯端末装置に埋設された内部メモリ、及び／又は、当該携帯端末装置に着脱可能に接続される外部メモリからなることを特徴とする、請求項１から請求項３のいずれかに記載の端末情報バックアップ方法。
【請求項５】
前記他端末メモリに保存された端末情報は、所定の認証行為を行わないと前記他の携帯端末装置では参照できないことを特徴とする、請求項１から請求項４のいずれかに記載の端末情報バックアップ方法。
【請求項６】
自己が保持する端末情報のバックアップを行う携帯端末装置であって、
端末メモリと、
前記端末メモリ、携帯電話網による無線通信を通じてアクセス可能なバックアップサーバのサーバメモリ、および、該携帯電話網とは異なる通信方式でアクセス可能な他の携帯端末装置の他端末メモリ、に前記端末情報を保存する端末情報保存部と、
を備えることを特徴とする、携帯端末装置。
【請求項７】
端末メモリを有する携帯端末装置を用いて、該携帯端末装置で利用可能な情報である端末情報の復元を行う端末情報復元方法であって、
前記携帯端末装置は、
前記端末メモリ、携帯電話網による無線通信を通じてアクセス可能なバックアップサーバのサーバメモリ、および、該携帯電話網とは異なる通信方式でアクセス可能な他の携帯端末装置の他端末メモリ、のうち、当該携帯端末装置からバックアップされた端末情報を保存しかつアクセス可能な全てのメモリから該端末情報の最終更新時を取得し、
前記最終更新時が最新であるメモリから前記端末情報を取得し自己の端末情報として復元させることを特徴とする、端末情報復元方法。
【請求項８】
前記携帯端末装置は、さらに、
復元時に最新であると判断された最終更新時を記憶し、
アクセスができなかったメモリがアクセス可能となった場合、該メモリの最終更新時と前記記憶された最終更新時とを比較し、
前記アクセス可能となったメモリの最終更新時が新しい場合、該メモリの端末情報を遡及して復元させることを特徴とする、請求項７に記載の端末情報復元方法。
【請求項９】
前記端末メモリは、当該通信端末に埋設された内部メモリ、及び／又は、当該通信端末に着脱可能に接続される外部メモリからなることを特徴とする、請求項７または請求項８に記載の端末情報復元方法。
【請求項１０】
前記最終更新時が最新であるメモリが複数ある場合、内部メモリ、外部メモリ、サーバメモリ、他端末メモリの優先順位で端末情報を取得することを特徴とする、請求項９に記載の端末情報復元方法。
【請求項１１】
自己の端末情報を復元する携帯端末装置であって、
端末メモリと、
前記端末メモリ、携帯電話網による無線通信を通じてアクセス可能なバックアップサーバのサーバメモリ、および、該携帯電話網とは異なる通信方式でアクセス可能な他の携帯端末装置の他端末メモリ、のうち、当該携帯端末装置からバックアップされた端末情報を保存しかつアクセス可能な全てのメモリから該端末情報の最終更新時を取得し、該最終更新時が最新であるメモリから前記端末情報を取得し、自己の端末情報として復元させる端末情報復元部と、
を備えることを特徴とする、携帯端末装置。
【発明の詳細な説明】
【技術分野】
【０００１】
本発明は、端末情報の保管に関し、特に、端末情報のバックアップまたは復元を行う端末情報バックアップ方法、端末情報復元方法、携帯端末装置に関する。
【背景技術】
【０００２】
携帯電話等の携帯端末装置において、他の携帯端末装置に電話を行う場合、または、メールを送信する場合、ユーザは、その電話番号やアドレスの煩わしい手入力を伴うことなく、内部に保存されたアドレス情報を参照して目的を達成することができる。しかし、かかる携帯端末装置を紛失または破損した場合、同時に保存されたアドレス情報も失われるため、ユーザはアドレス情報を再入力しなくてはならなかった。
【０００３】
かかる問題を回避するため、予めアドレス情報を通信網を介して他のコンピュータ（サーバ）に保管しておき、自己の携帯端末装置のアドレス情報を喪失した場合においても、上記他のコンピュータからアドレス情報を入手する技術（例えば、特許文献１）が知られている。
【０００４】
また、同様に、特別な電気機器を準備しなくても、ユーザの簡単な操作のみで、アドレス情報をバックアップ可能な技術（例えば、特許文献２）も公開されている。
【特許文献１】特開２００２−３６６４８２号公報
【特許文献２】特開２００３−３３８８６７号公報
【発明の開示】
【発明が解決しようとする課題】
【０００５】
近日の携帯端末装置では、上述したようなアドレス情報に加えて、受信メール、撮影写真、ＱＲ（二次元）コード、ＵＲＬ（Ｕｎｉｆｏｒｍ  Ｒｅｓｏｕｒｃｅ  Ｌｏｃａｏｒ）、他端末から直接取得した情報、電子マネーの更新情報等、様々なデータ（以下、「端末情報」という。）が追加・更新され、バックアップすべき情報が多様化および大量化している。このような現状に伴い、端末情報のバックアップのリアルタイム性が求められ、バックアップの頻度を高める必要が生じてきた。
【０００６】
しかし、リアルタイム性が求められていることに反し、従来の携帯端末装置では、携帯端末装置が携帯電話網にアクセス不能な領域（所謂、「通信圏外」）において、次々に追加・更新される端末情報を他のコンピュータにバックアップすることができず、その間に生じた携帯端末装置の紛失、破損等の不慮の事故による端末情報喪失には対応できなかった。
【０００７】
本発明は、従来の携帯端末装置が有する上記問題点に鑑みてなされたものであり、本発明の目的は、状況に応じた最良のバックアップ先に端末情報を保存することで、最新の端末情報を安全かつ確実に復元（復旧）可能な、新規かつ改良された端末情報バックアップ方法、端末情報復元方法、携帯端末装置を提供することである。
【課題を解決するための手段】
【０００８】
上記課題を解決するために、本発明のある観点によれば、端末メモリを有する携帯端末装置を用いて、該携帯端末装置で利用可能な情報である端末情報のバックアップを行う端末情報バックアップ方法であって、携帯端末装置は、自己が保持する端末情報を、端末メモリに保存し、携帯電話網による無線通信を通じてバックアップサーバのサーバメモリに保存し、携帯電話網とは異なる通信方式で、他の携帯端末装置の他端末メモリに保存することを特徴とする、端末情報バックアップ方法が提供される。
【０００９】
設置位置および通信方式（経路）が相異する複数のメモリに対してバックアップを行うことにより、端末メモリ、サーバメモリ、および他端末メモリ（以下、纏めて「バックアップメモリ」という。）のうち、１または２以上がアクセス不能な場合であっても、安全かつ確実にバックアップを行うことができ、最新の端末情報を控えとして保持することが可能となる。
【００１０】
また、バックアップメモリの増加に伴って、アクセス可能となるバックアップメモリの数も多くなり、バックアップの機会も増やすことができるので、バックアップのリアルタイム性を向上させることも可能となる。
【００１１】
端末情報の保存は、所定の時間間隔で定期的に行われるとしてもよい。
【００１２】
かかる構成により、ユーザに煩わしいバックアップ操作をさせることなく、自動的かつ確実に端末情報を保存することが可能となる。
【００１３】
端末情報の保存は、端末メモリ、サーバメモリおよび他端末メモリとアクセス可能になった直後に行われるとしてもよい。
【００１４】
携帯端末装置とバックアップメモリのいずれかがアクセス不能であった場合、その間に端末情報が追加・更新されている可能性が高くなる。アクセス不能であったバックアップメモリとアクセス可能になった直後に少なくとも１回、端末情報を保存することによって、アクセス可能な時間が短かったとしても、最新の端末情報をより安全かつ確実に待避させることが可能となる。
【００１５】
端末メモリは、当該携帯端末装置に埋設された内部メモリ、及び／又は、当該携帯端末装置に着脱可能に接続される外部メモリからなるとしてもよい。
【００１６】
外部メモリは、バックアップの機会を内部メモリと等しくすることができ、かつ、未接続の時は携帯端末装置に起こり得る事故の影響を受けない。端末メモリとして、内部メモリと外部メモリとを設けることにより、端末情報をさらに安全かつ確実に待避させることが可能となる。
【００１７】
他端末メモリに保存された端末情報は、所定の認証行為を行わないと他の携帯端末装置では参照できないとしてもよい。
【００１８】
かかる構成により、他端末メモリに自己の端末情報を保存したとしても、他の携帯端末装置において参照されることはなく、また、所定の認証行為を行うことで、他の携帯端末装置においても端末情報を積極的に利用することが可能となる。
【００１９】
また、自己が保持する端末情報のバックアップを行う携帯端末装置であって、端末メモリと、この端末メモリ、携帯電話網による無線通信を通じてアクセス可能なバックアップサーバのサーバメモリ、および、該携帯電話網とは異なる通信方式でアクセス可能な他の携帯端末装置の他端末メモリ、に端末情報を保存する端末情報保存部と、を備えることを特徴とする、携帯端末装置も提供される。
【００２０】
上述した端末情報バックアップ方法における従属項に対応する構成要素やその説明は、当該携帯端末装置にも適用可能である。
【００２１】
また、コンピュータによって、上記携帯端末装置として機能するプログラムも提供され得る。
【００２２】
上記課題を解決するために、本発明の別の観点によれば、端末メモリを有する携帯端末装置を用いて、該携帯端末装置で利用可能な情報である端末情報の復元を行う端末情報復元方法であって、携帯端末装置は、端末メモリ、携帯電話網による無線通信を通じてアクセス可能なバックアップサーバのサーバメモリ、および、該携帯電話網とは異なる通信方式でアクセス可能な他の携帯端末装置の他端末メモリ、のうち、当該携帯端末装置からバックアップされた端末情報を保存しかつアクセス可能な全てのメモリから該端末情報の最終更新時を取得し、最終更新時が最新であるメモリから端末情報を取得し自己の端末情報として復元させることを特徴とする、端末情報復元方法が提供される。
【００２３】
設置位置および通信方式（経路）が相異する複数のメモリから端末情報を復元する構成では、バックアップ時においていずれかのメモリに最新の端末情報が保存されているので、異常動作時や動作不能時でも、その最新の端末情報を安全かつ確実に携帯端末装置に自動復元することができる。
【００２４】
また、バックアップ時におけるバックアップメモリの増加に伴ってバックアップの機会も増えているので、リアルタイム性に優れた端末情報を復元することが可能となる。
【００２５】
携帯端末装置は、さらに、復元時に最新であると判断された最終更新時を記憶し、アクセスができなかったメモリがアクセス可能となった場合、該メモリの最終更新時と記憶された最終更新時とを比較し、アクセス可能となったメモリの最終更新時が新しい場合、該メモリの端末情報を遡及して復元させるとしてもよい。
【００２６】
かかる構成により、最新の端末情報がアクセス不能なメモリに存在し、復元時に参照されなかったとしても、事後的に反映されるので、最適な状態を復元することができる。
【００２７】
端末メモリは、当該通信端末に埋設された内部メモリ、及び／又は、当該通信端末に着脱可能に接続される外部メモリからなるとしてもよい。
【００２８】
上述したように、端末メモリとして、内部メモリと外部メモリとを設けることにより、端末情報をさらに安全かつ確実に待避させることが可能となる。
【００２９】
最終更新時が最新であるメモリが複数ある場合、内部メモリ、外部メモリ、サーバメモリ、他端末メモリの優先順位で端末情報を取得するとしてもよい。
【００３０】
かかる内部メモリ、外部メモリ、サーバメモリ、他端末メモリの優先順位は、バックアップの確実性または携帯端末装置との論理的な距離に基づいている。従って、このような優先順位で端末情報を取得することにより、迅速かつ確実に端末情報を復元することができる。
【００３１】
また、自己の端末情報を復元する携帯端末装置であって、端末メモリと、この端末メモリ、携帯電話網による無線通信を通じてアクセス可能なバックアップサーバのサーバメモリ、および、該携帯電話網とは異なる通信方式でアクセス可能な他の携帯端末装置の他端末メモリ、のうち、当該携帯端末装置からバックアップされた端末情報を保存しかつアクセス可能な全てのメモリから該端末情報の最終更新時を取得し、該最終更新時が最新であるメモリから端末情報を取得し、自己の端末情報として復元させる端末情報復元部と、を備えることを特徴とする、携帯端末装置も提供される。
【００３２】
上述した端末情報復元方法における従属項に対応する構成要素やその説明は、当該携帯端末装置にも適用可能である。
【００３３】
また、コンピュータによって、上記携帯端末装置として機能するプログラムも提供され得る。
【発明の効果】
【００３４】
以上説明したように本発明によれば、バックアップ先として複数のメモリを準備することにより、状況に応じた最良のバックアップ先に端末情報を保存することができ、最新の端末情報を安全かつ確実に復元することが可能となる。従って、自己の携帯端末装置自体を回収できないような状況下においても、新たな携帯端末装置に端末情報を再現することができ、携帯端末装置の買い換えや変更に対する利便性も高くなる。
【発明を実施するための最良の形態】
【００３５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３６】
携帯電話やＰＨＳ（Ｐｅｒｓｏｎａｌ  Ｈａｎｄｙ  ｐｈｏｎｅ  Ｓｙｓｔｅｍ）端末等の携帯端末装置では、通信相手ユーザの氏名または名称、電話番号、電子メールアドレス等のアドレス情報だけでなく、受信メール、撮影写真、ＱＲ（二次元）コード、ＵＲＬ、他端末から直接取得した情報、電子マネーの更新情報等、様々な端末情報が時々刻々と追加・更新されている。このように多様化および大量化している端末情報の、携帯端末装置の紛失・破損等による喪失を回避するためには、端末情報のバックアップの頻度を高める必要が生じるが、バックアップの対象となるメモリに常にアクセスできるとは限らない。
【００３７】
また、携帯端末装置の利用状態によっては電源起動しない等の不具合が生じることがある。かかる不具合を解消するため、内部状態の初期化（オールクリア）を行うといった対応をとることが多いが、携帯端末装置内に保持している端末情報も同時に全て消されてしまうため、ユーザは多大な損失を被ることとなる。
【００３８】
本発明の実施形態による携帯端末装置は、バックアップ先として設置位置および通信方式（経路）が相異する複数箇所のメモリを対象とし、状況に応じた最良のバックアップを実行することで、上述した携帯端末装置の利用中における不慮の事故に対しても万全を期することができる。
【００３９】
（バックアップシステム）
図１は、バックアップシステムの概略的な構成を示した構成ブロック図である。かかるバックアップシステムは、携帯端末装置１００と、外部メモリ１５０と、基地局２００と、通信網２１０と、バックアップサーバ２２０と、他の携帯端末装置３００とを含んで構成される。
【００４０】
上記携帯端末装置１００は、上述した携帯電話やＰＨＳの他に、ノート型パーソナルコンピュータ、ＰＤＡ（Ｐｅｒｓｏｎａｌ  Ｄｉｇｉｔａｌ  Ａｓｓｉｓｔａｎｔ）等の携帯可能な様々な電子機器で構成され、構成要素として、端末制御部１１０と、メインメモリ１１２と、内部メモリ１１４と、表示部１１６と、操作部１１８と、音声入出力部１２０と、タイマ１２２と、インターフェース部１３０と、携帯電話無線部１３２と、直接通信部１３４とを含んでいる。
【００４１】
上記端末制御部１１０は、中央処理装置（ＣＰＵ）を含む半導体集積回路により携帯端末装置１００全体を管理および制御する。端末制御部１１０は、メインメモリ１１２のプログラムを用いて、携帯端末装置１００を利用した通話機能やメール配信機能も当然にして遂行するが、後述する、端末情報保存部４００、タイマ管理部４０２、端末情報復元部４０４、更新時管理部４０６としても機能する。
【００４２】
上記メインメモリ１１２は、ＲＯＭ、ＲＡＭ、Ｅ２ＰＲＯＭ、不揮発性ＲＡＭ、フラッシュメモリ、ＨＤＤ（Ｈａｒｄ  Ｄｉｓｋ  Ｄｒｉｖｅ）等で構成され、端末制御部１１０で処理されるプログラムや、携帯端末装置１００で利用可能な端末情報等を記憶する。
【００４３】
上記内部メモリ１１４は、端末メモリとして、メインメモリ１１２と別体または領域を別にして設けられ、メインメモリ１１２同様に、ＲＡＭ、Ｅ２ＰＲＯＭ、不揮発性ＲＡＭ、フラッシュメモリ、ＨＤＤ等で構成される。内部メモリ１１４は、主としてメインメモリ１１２に記憶されている端末情報の定期的なバックアップに利用される。
【００４４】
上記表示部１１６は，カラーまたは白黒のディスプレイで構成され，メインメモリ１１２に記憶されたまたは通信網２１０を介してアプリケーションサーバ（図示せず）から提供される、ＷｅｂブラウザやアプリケーションのＧＵＩ（Ｇｒａｐｈｉｃａｌ  Ｕｓｅｒ  Ｉｎｔｅｒｆａｃｅ）を表示することができる。また、自己の携帯端末装置１００の設定や端末情報を参照することも可能である。
【００４５】
上記操作部１１８は、キーボード、十字キー、ジョイスティック等のスイッチから構成され、ユーザの操作入力を受け付ける。
【００４６】
上記音声入出力部１２０は、マイクやスピーカから構成され、通話時に入力されたユーザの音声を音声信号に変換し、また、通話相手の音声信号を音声に変えて出力する。また、着信音や操作部１１８による操作音、アラーム音等も出力できる。
【００４７】
上記タイマ１２２は、内部クロックに基づいて所定の時間を計時する。かかるタイマ１２２による計時結果は、後述するタイマ管理部４０２で利用される。
【００４８】
上記インターフェース部１３０は、外部メモリ１５０等の外部機器を着脱できるように構成され、外部メモリ１５０に対してデータの書き込みまたは読み出しを行うことができる。ここで、外部メモリ１５０は、端末メモリとして、カードメモリ、ＵＳＢメモリ、ＲＡＭ、Ｅ２ＰＲＯＭ、不揮発性ＲＡＭ、フラッシュメモリ、ＨＤＤ等から構成され、携帯端末装置１００と接続されている状態では、メインメモリ１１２に記憶されている端末情報の定期的なバックアップに利用される。
【００４９】
上記携帯電話無線部１３２は、携帯電話網における基地局２００と無線通信を行い、その基地局２００に接続された、インターネットやＬＡＮ等の通信網２１０を通じて、サーバメモリ２２２が設けられたバックアップサーバ２２０にアクセスする。そして、携帯電話無線部１３２は、端末制御部１１０の指示に従い、メインメモリ１１２に記憶されている端末情報をサーバメモリ２２２に送信、保存する。
【００５０】
上記直接通信部１３４は、上述した携帯電話無線部１３２による携帯電話網とは異なる通信方式により、別体に設けられる他の携帯端末装置３００と無線または有線通信を通じて直接アクセスする。そして、直接通信部１３４は、端末制御部１１０の指示に従い、主として、メインメモリ１１２に記憶されている端末情報を、バックアップ専用の領域として他の携帯端末装置３００内に設けられた他端末メモリ３０２に送信、保存する。
【００５１】
以上、述べたように、本実施形態におけるバックアップシステムは、バックアップメモリとして、内部メモリ１１４と、外部メモリ１５０と、サーバメモリ２２２と、他端末メモリ３０２との４種のメモリをバックアップ対象としている。かかる複数のメモリを利用した本実施形態のバックアップシステムの機能および動作を以下に詳述する。
【００５２】
図２は、バックアップシステムの概略的な機能を示した機能ブロック図である。図１で示したようにバックアップシステムは、携帯端末装置１００と、外部メモリ１５０と、基地局２００と、通信網２１０と、バックアップサーバ２２０と、他の携帯端末装置３００とを含んで構成されるが、ここでは、理解を容易にするため携帯端末装置１００と、外部メモリ１５０と、バックアップサーバ２２０と、他の携帯端末装置３００とを挙げて説明する。
【００５３】
（携帯端末装置１００）
携帯端末装置１００の端末制御部１１０は、メインメモリ１１２のプログラムを用いて、端末情報保存部４００、タイマ管理部４０２、端末情報復元部４０４、更新時管理部４０６として機能する。
【００５４】
上記端末情報保存部４００は、端末メモリとして携帯端末装置１００自体に設けられた内部メモリ１１４、端末メモリとして外部に接続される外部メモリ１５０、携帯電話網による無線通信を通じてアクセス可能なバックアップサーバ２２０内のサーバメモリ２２２、および、該携帯電話網とは異なる通信方式でアクセス可能な他の携帯端末装置３００内の他端末メモリ３０２、の全バックアップメモリのアクセス状態を確認し、アクセス可能な全てのバックアップメモリに対して端末情報を保存する。
【００５５】
上述したバックアップメモリは、それぞれ、設置位置および通信方式（経路）が相異する。例えば、内部メモリ１１４と外部メモリ１５０とはどちらも携帯端末装置１００と一体になった状態で、有線による直接書き込みを通じて端末情報が保存される。ここで、外部メモリ１５０は、携帯端末装置１００と接続されている間は、内部メモリ１１４とバックアップの機会を等しく設けることができ、また、未接続の時は携帯端末装置１００に起こり得る事故の影響を受けなくて済む。このように端末メモリとして、内部メモリ１１４と外部メモリ１５０とを設けることにより、端末情報を安全かつ確実に待避させることが可能となる。
【００５６】
また、サーバメモリ２２２は、携帯端末装置１００に起こり得る事故の影響を受けない位置にあり、携帯電話網および通信網２１０といった通信経路を辿って端末情報が保存される。他端末メモリ３０２は、携帯端末装置１００とは別体に設けられるが、携帯端末装置１００と直接通信できる範囲に配置することができ、近距離無線通信、Ｂｌｕｅｔｏｏｔｈ，赤外線通信等の無線通信、または、その他の有線通信を介して端末情報が任意に保存される。
【００５７】
このような、設置位置および通信方式（経路）が相異する複数のメモリに対して端末情報のバックアップを行うことにより、バックアップメモリのうち、１または２以上がアクセス不能な場合であってもいずれかのバックアップメモリにはバックアップができるため、安全かつ確実にバックアップを遂行することができる。
【００５８】
また、設置位置および通信方式が相異するバックアップメモリの数を増やすことで、いずれかのバックアップメモリとアクセスが可能となる確率も上がり、バックアップの機会を増やすことができる。従って、バックアップのリアルタイム性を向上させることも可能となる。
【００５９】
上記タイマ管理部４０２は、タイマ１２２で計時された所定の時間間隔に基づいて、端末情報保存部４００のバックアップのタイミングを計る。ここで、タイマ管理部４０２は、端末情報保存部４００に、所定の時間間隔で定期的にバックアップさせることができる。
【００６０】
バックアップを定期的に実行させることで、ユーザに煩わしいバックアップ操作をさせることなく、自動的にかつ確実に端末情報を保存することが可能となる。
【００６１】
しかし、バックアップメモリ、特に、外部メモリ、サーバメモリ、他端末メモリとがアクセス不能なときは、定期的なバックアップを行うことができず、その間に端末情報が追加・更新されている可能性が高くなる。従って、タイマ管理部４０２は、アクセス不能なバックアップメモリがアクセス可能になった場合、その直後、端末情報保存部４００に初期動作としてバックアップを実行させる。こうして、アクセス可能な時間が短かったとしても、最新の端末情報をより安全かつ確実に待避させることが可能となる。
【００６２】
上記端末情報復元部４０４は、当該携帯端末装置１００からバックアップされた端末情報を保存しかつアクセス可能な全てのバックアップメモリから該端末情報の最終更新時を取得し、その中で最終更新時が最新であるバックアップメモリから端末情報を取得し、自己の端末情報として復元させる。
【００６３】
このように、設置位置および通信方式（経路）が相異する複数のメモリから端末情報を復元する構成では、バックアップ時においていずれかのメモリに最新の端末情報が保存されているので、異常動作時や動作不能時でも、その最新の端末情報を安全かつ確実に携帯端末装置に自動復元することができる。
【００６４】
また、メモリの増加に伴ってバックアップの機会も増えているので、リアルタイム性に優れた端末情報を復元することが可能となる。
【００６５】
また、端末情報復元部４０４は、最終更新時が最新であるバックアップメモリが複数ある場合、内部メモリ１１４、外部メモリ１５０、サーバメモリ２２２、他端末メモリ３０２の優先順位で端末情報を取得するとしてもよい。かかる優先順位は、バックアップの確実性または携帯端末装置１００との論理的な距離に基づいている。従って、このような優先順位で端末情報を取得することにより、迅速かつ確実に端末情報を復元することができる。
【００６６】
上記更新時管理部４０６は、端末情報復元部４０４において復元時に最新であると判断された最終更新時を記憶し、端末情報保存部４００がアクセスできなかったメモリがアクセス可能となったとき、該メモリの最終更新時と記憶された最終更新時とを比較し、アクセス可能となったメモリの最終更新時が新しい場合に該メモリの端末情報を遡及して復元させる。
【００６７】
図３は、かかる更新時管理部４０６の動作を説明するための説明図である。図３は、時間が経過する中での各メモリにおける端末情報の状態を示し、バックアップメモリにおいては、バックアップされた更新時も保持されている。ここでは、特に、バックアップメモリ同士で最終更新時が相異した場合の動作について詳述する。
【００６８】
まず、携帯端末装置１００の端末情報保存部４００は、各バックアップメモリ、即ち、内部メモリ１１４、外部メモリ１５０、サーバメモリ２２２、他端末メモリ３０２に対して端末情報のバックアップを行う。時刻Ｔ１では、全てのバックアップメモリとアクセスが可能なので、メインメモリ１１２の端末情報は全てのバックアップメモリに保存される。
【００６９】
時刻Ｔ２では、外部メモリ１５０が抜脱され、外部メモリ１５０とのアクセスが不能となったため、内部メモリ１１４、サーバメモリ２２２、他端末メモリ３０２に対してのみ端末情報が保存される。また、Ｔ３では、他端末メモリ３０２との通信も中止され、内部メモリ１１４、サーバメモリ２２２に対してのみ端末情報が保存される。そして、時刻Ｔ４において何らかの事情により携帯端末装置１００の端末情報を喪失し、内部状態の初期化（オールクリア）または携帯端末装置１００の交換が行われている。
【００７０】
時刻Ｔ５において、端末情報復元部４０４は、アクセス可能な全てのバックアップメモリから該端末情報の最終更新時を取得する。例えば、携帯端末装置１００の交換が行われ、バックアップサーバ２２０とはアクセス不能（「通信圏外」）であった場合、内部メモリ１１４には端末情報が存在せず、また、サーバメモリ２２２の端末情報も参照されない。端末情報復元部４０４は、アクセス可能な外部メモリ１５０および他端末メモリ３０２の最終更新時を比較し、時刻Ｔ６において、最終更新時が新しい（２：００）他端末メモリ３０２から端末情報を取得し、自己の端末情報として復元させる。そして、更新時管理部４０６は、まだ、アクセス不能なバックアップメモリが存在しているので、端末情報復元部４０４が最新であると判断した他端末メモリ３０２の最終更新時（２：００）を記憶する。
【００７１】
こうして復元した携帯端末装置１００は、通常の利用が可能となり、他端末メモリ３０２の端末情報を基に追加・更新された端末情報を、アクセス可能なバックアップメモリに保存する（時刻Ｔ７）。
【００７２】
このような通常動作中、時刻Ｔ８において、端末情報復元時にアクセスができなかったサーバメモリ２２２とアクセス可能となった場合、更新時管理部４０６は、このサーバメモリ２２２の最終更新時（３：００）と、記憶された他端末メモリ３０２の最終更新時（２：００）とを比較する。その結果、更新時管理部４０６は、サーバメモリ２２２の最終更新時の方が新しいことを把握し、サーバメモリ２２２の端末情報を遡及して復元させる。ここで、時刻Ｔ６から時刻Ｔ７の間に生じた端末情報の更新も改めて遂行、反映される。
【００７３】
過去に遡及して端末情報を復元させる技術としては、上述した更新履歴を辿る完全復元以外にも、バックアップメモリ間、ここでは、サーバメモリ２２２と他端末メモリ３０２との端末情報の差分をとって、現在の端末情報に追加する差分復元等、様々な復元方法を利用することができる。
【００７４】
かかる構成により、最新の端末情報がアクセス不能なバックアップメモリにのみ存在し、復元時に参照されなかったとしても、事後的に反映されるので、最適な状態を復元することができる。
【００７５】
また、例えアクセス不能だったバックアップメモリの最終更新時が新しかったとしても、所定の期間を経過した後には上記遡及復元は行わないとしてもよい。例えば、外部メモリ１５０に端末情報をバックアップし、その後所定の期間放置した場合、その端末情報自体が意味をなさなくなる。このような場合に備え、所定期間経過後は外部メモリ１５０に蓄積された端末情報は無視して新たな端末情報の更新を行うように設定することができる。
【００７６】
（他の携帯端末装置３００）
他の携帯端末装置３００は、他端末メモリ３０２に保存された端末情報を、他の携帯端末装置３００自体では参照できないように管理する他端末メモリ管理部４５０を設けてもよい。かかる構成により、他端末メモリ３０２に自己の端末情報を保存したとしても、他の携帯端末装置３００において流用されることはない。
【００７７】
ただし、所定の認証行為を行うことで他の携帯端末装置３００においても携帯端末装置１００の端末情報を参照することができる。このように端末情報を参照する手段を設けることで、他の携帯端末装置３００においても積極的に端末情報を利用することが可能となる。かかる所定の認証行為は、ユーザＩＤやパスワードの入力のみに限られず、例えば、他の携帯端末装置３００と自己の携帯端末装置１００とが一定の距離にある場合の近距離無線通信による認証等、様々な認証方法を選択することが可能である。
【００７８】
また、他端末メモリ管理部４５０は、携帯端末装置１００から他端末メモリ３０２への端末情報の保存を制限することも可能である。かかる構成により、他端末メモリ３０２が無許可に利用されるのを回避できる。
【００７９】
次に、上述した携帯端末装置１００を用いて端末情報のバックアップおよび復元を行う端末情報バックアップ方法と端末情報復元方法とについて詳細に述べる。
【００８０】
（端末情報バックアップ方法）
図４は、端末情報バックアップ方法の全体的な流れを示したフローチャートである。かかる端末情報バックアップ方法では、まず、バックアップを行うタイミングをタイマ管理部４０２が計っており、所定の時間が経過したかどうかが判断される（Ｓ６００）。端末情報保存部４００は、所定時間が経過していなければ、経過するまでバックアップを行わず、所定時間が経過するとバックアップを開始する。
【００８１】
バックアップは、各バックアップメモリに対して順次行われる。図４のフローチャートによると、まず、内部メモリ１１４に最新の端末情報を保存し（Ｓ６０２）、続いて、外部メモリ１５０に保存し（Ｓ６０４）、サーバメモリ２２２に保存し（Ｓ６０６）、他端末メモリ３０２にも保存する（Ｓ６０８）。以下、各バックアップメモリへの具体的な保存方法を詳述する。
【００８２】
図５は、内部メモリ１１４への端末情報の保存（Ｓ６０２）の流れを示したフローチャートである。かかるフローチャートを参照すると、まず、端末情報保存部４００は、内部メモリ１１４に端末情報そのものを保存し（Ｓ６２０）、その後、保存した端末情報のチェックサム値を計算し（Ｓ６２２）、導出されたチェックサム値を端末情報と関連づけて内部メモリ１１４に保存する（Ｓ６２４）。
【００８３】
図６は、外部メモリ１５０への端末情報の保存（Ｓ６０４）の流れを示したフローチャートである。かかるフローチャートを参照すると、まず、端末情報保存部４００は、外部メモリ１５０が当該携帯端末装置１００に接続されているかどうかを確認し（Ｓ６４０）、外部メモリ１５０が接続されていなければ、外部メモリ１５０への端末情報の保存を実行しない。外部メモリ１５０が接続されていれば、端末情報保存部４００は、外部メモリ１５０に端末情報を保存し（Ｓ６４２）、その後、保存した端末情報のチェックサム値を計算し（Ｓ６４４）、導出されたチェックサム値を端末情報と関連づけて外部メモリ１５０に保存する（Ｓ６４６）。
【００８４】
図７は、サーバメモリ２２２への端末情報の保存（Ｓ６０６）の流れを示したフローチャートである。かかるフローチャートを参照すると、まず、端末情報保存部４００は、基地局２００との電波の強度等から携帯端末装置１００が携帯電話網にアクセス可能な領域にいるかどうかを判断し（Ｓ６６０）、アクセス可能であれば、該携帯電話網および通信網２１０を介してバックアップサーバ２２０に端末情報を送信する（Ｓ６６２）。
【００８５】
続いて、端末情報保存部４００は、端末情報が正しく送信されたかどうかを確認し（Ｓ６６４）、正しく送信されていれば、サーバメモリ２２２への保存が成功したとして、保存処理を終了する。上記アクセス可能な領域の判断（Ｓ６６０）または送信結果の確認（Ｓ６６４）において、否定的な判断がなされた場合は、リトライ回数が設定された上限値を超えているかどうか確認され（Ｓ６６６）、上限値を超えていれば、サーバメモリ２２２への保存は失敗したとして、保存処理を終了する。
【００８６】
リトライ回数の確認（Ｓ６６６）において、上限値を超えていなければ、リトライ回数をインクリメントし（Ｓ６６８）、再度、アクセス可能な領域の判断（Ｓ６６０）からの処理を繰り返す。
【００８７】
図８は、他端末メモリ３０２への端末情報の保存（Ｓ６０８）の流れを示したフローチャートである。かかるフローチャートを参照すると、まず、端末情報保存部４００は、携帯電話網以外の通信手段で通信可能な範囲内に他の携帯端末装置３００が存在するかどうかを確認し（Ｓ６８０）、存在していれば、該他の携帯端末装置３００に対して、端末情報のバックアップが可能か、即ち、他端末メモリ３０２を有しているかどうかを確認する（Ｓ６８２）。他の携帯端末装置３００が他端末メモリ３０２を有しており端末情報の受付に制限がかかっていなければ、端末情報を他端末メモリ３０２に送信する（Ｓ６８４）。
【００８８】
そして、端末情報が正しく送信されたかどうかを確認し（Ｓ６８６）、正しく送信されていれば、他端末メモリ３０２への保存が成功したとして、保存処理を終了する。上記他の携帯端末装置３００の確認（Ｓ６８０）、他端末メモリの存在確認（Ｓ６８２）、または送信結果の確認（Ｓ６８６）において、否定的な判断がなされた場合は、リトライ回数が設定された上限値を超えているかどうか確認され（Ｓ６８８）、上限値を超えていれば、他端末メモリ３０２への保存は失敗したとして、保存処理を終了する。
【００８９】
リトライ回数の確認（Ｓ６８８）において、上限値を超えていなければ、リトライ回数をインクリメントし（Ｓ６９０）、再度、アクセス可能な領域の確認（Ｓ６８０）からの処理を繰り返す。
【００９０】
以上、述べたような端末情報バックアップ方法によって、設置位置および通信方式（経路）が相異する複数のメモリに対してバックアップを行うことができるため、バックアップメモリのうち、１または２以上がアクセス不能な場合であっても、安全かつ確実にバックアップを行うことができる。また、バックアップの機会も増やすことができるので、バックアップのリアルタイム性を向上させることも可能となる。
【００９１】
（端末情報復元方法）
続いて、上述した端末情報バックアップ方法によって複数のメモリに並行保存された端末情報を復元する端末情報復元方法を説明する。
【００９２】
図９は、端末情報復元方法の全体的な流れを示したフローチャートである。かかる端末情報復元方法では、まず、不具合の原因が除去された後、ユーザが携帯端末装置１００の初期化内部状態の初期化を行い（Ｓ７００）、端末情報がクリアされる（Ｓ７０２）。そして、端末情報復元部４０４は、全てのバックアップメモリに対して端末情報の復元要求を指示し、アクセス可能なバックアップメモリから、端末情報の最終更新時を取得する（Ｓ７０４）。
【００９３】
最終更新時を取得できたメモリのうち、最終更新時が最新であるメモリが内部メモリ１１４であれば（Ｓ７０６）、自己の端末情報として内部メモリ１１４に保存されている端末情報を取り込み（Ｓ７０８）、外部メモリ１５０であれば（Ｓ７１０）、外部メモリ１５０に保存されている端末情報を取り込み（Ｓ７１２）、サーバメモリ２２２であれば（Ｓ７１４）、サーバメモリ２２２に保存されている端末情報を取り込み（Ｓ７１６）、他端末メモリ３０２であれば（Ｓ７１８）、他端末メモリ３０２に保存されている端末情報を取り込む（Ｓ７２０）。
【００９４】
更新時管理部４０６は、さらに新しい最終更新時を有するバックアップメモリが存在した場合に対応するため、最終更新時を記憶する（Ｓ７２２）。そして携帯端末装置１００は、通信待ち受け状態（通常の状態）に遷移する（Ｓ７２４）。
【００９５】
ここで、携帯端末装置１００の状態が変わり、端末情報の復元時にアクセスできなかったがアクセスが可能となったバックアップメモリがあった場合（Ｓ７３０）、更新時管理部４０６は、そのバックアップメモリの最終更新時と、自己に記憶された最終更新時を比較し（Ｓ７３２）、バックアップメモリの最終更新時が新しい場合、バックアップメモリから端末情報を取り込み、遡及して端末情報を復元する（Ｓ７３４）。かかる復元では、バックアップメモリの種類に応じて、上述した端末情報の取り込み処理（内部メモリ１１４（Ｓ７０８）、外部メモリ１５０（Ｓ７１２）、サーバメモリ２２２（Ｓ７１６）、他端末メモリ３０２（Ｓ７２０））が実行される。
【００９６】
上記アクセス可能となったバックアップメモリの有無（Ｓ７３０）、また、バックアップメモリの最終更新時の比較（Ｓ７３２）において、否定的な判断がなされた場合は、いずれの処理も行わず、再度、待ち受け状態に遷移する。以下、上述した各バックアップメモリからの具体的な復元方法を詳述する。
【００９７】
図１０は、最終更新時の取得（Ｓ７０４）の流れを示したフローチャートである。かかるフローチャートを参照すると、まず、端末情報復元部４０４は、内部メモリ１１４から最終更新時を取得し（Ｓ７４０）、続いて、外部メモリ１５０から最終更新時を取得する（Ｓ７４２）。そして、基地局２００との電波の強さから携帯端末装置１００が携帯電話網にアクセス可能な領域に有るかどうかを判断し（Ｓ７４４）、アクセス可能であれば、サーバメモリ２２２から最終更新時を取得する（Ｓ７４６）。次に、携帯電話網以外の通信手段で通信可能な範囲に他の携帯端末装置３００が存在するかどうかを確認し（Ｓ７４８）、存在していれば、該他の携帯端末装置３００に対して、他端末メモリ３０２を有しているかどうかを確認する（Ｓ７５０）。そして、他の携帯端末装置３００に他端末メモリ３０２があれば、他端末メモリ３０２から最終更新時を取得する（Ｓ７５２）。
【００９８】
図１１は、内部メモリ１１４からの端末情報の復元（Ｓ７０８）の流れを示したフローチャートである。かかるフローチャートを参照すると、まず、端末情報復元部４０４は、内部メモリ１１４に保存されている端末情報そのものと保存されたチェックサム値を取得する（Ｓ７６０）。そして、取得した端末情報のチェックサム値を計算し（Ｓ７６２）、導出されたチェックサム値と取得したチェックサム値とが一致するか判断する（Ｓ７６４）。一致していれば、上記取得した端末情報を自己の端末情報としてメインメモリ１１２に上書きし（Ｓ７６６）、当該内部メモリ１１４からの復元は成功したとして、復元処理を終了する。一致していなければ、端末情報が破壊されていると判断し、復元は失敗したとして復元処理を終了する。
【００９９】
図１２は、外部メモリ１５０からの端末情報の復元（Ｓ７１２）の流れを示したフローチャートである。かかるフローチャートを参照すると、上述した内部メモリ１１４同様、まず、端末情報復元部４０４は、外部メモリ１５０に保存されている端末情報そのものと保存されたチェックサム値を取得する（Ｓ７７０）。そして、取得した端末情報のチェックサム値を計算し（Ｓ７７２）、導出されたチェックサム値と取得したチェックサム値とが一致するか判断する（Ｓ７７４）。一致していれば、上記取得した端末情報を自己の端末情報としてメインメモリ１１２に上書きし（Ｓ７７６）、当該外部メモリ１５０からの復元は成功したとして、復元処理を終了する。一致していなければ、復元は失敗したとして復元処理を終了する。
【０１００】
図１３は、サーバメモリ２２２からの端末情報の復元（Ｓ７１６）の流れを示したフローチャートである。かかるフローチャートを参照すると、まず、端末情報復元部４０４は、基地局２００との電波の強さから携帯端末装置１００が携帯電話網にアクセス可能な領域に有るかどうかを判断し（Ｓ７８０）、アクセス可能であれば、バックアップサーバ２２０から端末情報を受信する（Ｓ７８２）。そして、端末情報が正しく受信されたかどうかを確認し（Ｓ７８４）、正しく受信されていれば、上記受信した端末情報を自己の端末情報としてメインメモリ１１２に上書きし（Ｓ７８６）、当該サーバメモリ２２２からの復元は成功したとして、復元処理を終了する。一致していなければ、復元は失敗したとして復元処理を終了する。
【０１０１】
また、最終更新時取得処理（Ｓ７０４）でアクセス可能判断がなされていれば、本フローチャートにおけるアクセス可能判断（Ｓ７８０）を省略することができる。
【０１０２】
図１４は、他端末メモリ３０２からの端末情報の復元（Ｓ７２０）の流れを示したフローチャートである。かかるフローチャートを参照すると、まず、端末情報復元部４０４は、携帯電話網以外の通信手段で通信可能な範囲に他の携帯端末装置３００が存在するかどうかを確認し（Ｓ７９０）、存在していれば、該他の携帯端末装置３００に対して、他端末メモリ３０２を有しているかどうかを確認する（Ｓ７９２）。そして、他の携帯端末装置３００に他端末メモリ３０２があれば、他端末メモリ３０２から端末情報を受信する（Ｓ７９４）。
【０１０３】
続いて、端末情報が正しく受信されたかどうかを確認し（Ｓ７９６）、正しく受信されていれば、上記受信した端末情報を自己の端末情報としてメインメモリ１１２に上書きし（Ｓ７９８）、当該他端末メモリ３０２からの復元は成功したとして、復元処理を終了する。一致していなければ、復元は失敗したとして復元処理を終了する。
【０１０４】
また、最終更新時取得処理（Ｓ７０４）で他の携帯端末装置３００の存在確認および他端末メモリの存在確認がなされていれば、本フローチャートにおける他の携帯端末装置３００の存在確認（Ｓ７９０）および他端末メモリ３０２の存在確認（Ｓ７９２）を省略することができる。
【０１０５】
以上、述べたような端末情報復元方法により、設置位置および通信方式（経路）が相異する複数のメモリのうちいずれかのバックアップメモリにおいて、最新の端末情報が保持されている確率が高くなり、異常動作時や動作不能時においても、その最新の端末情報を安全かつ確実に携帯端末装置に自動復元することができる。また、バックアップ時においてバックアップの機会が増えることで、リアルタイム性に優れた端末情報を復元することが可能となる。
【０１０６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１０７】
例えば、上記実施形態において、内部メモリ、外部メモリ、サーバメモリ、他端末メモリを各１つ挙げて説明しているが、それぞれ複数設けてもよく、それによってさらに安全かつ確実なバックアップを図ることが可能となる。
【０１０８】
なお、本明細書の端末情報バックアップ方法、端末情報復元方法における各工程は、必ずしもフローチャートとして記載された順序に沿って時系列に処理する必要はなく、並列的あるいは個別に実行される処理（例えば、並列処理あるいはオブジェクトによる処理）も含むとしても良い。
【産業上の利用可能性】
【０１０９】
本発明は、端末情報の保管に関し、特に、端末情報のバックアップまたは復元を行う端末情報バックアップ方法、端末情報復元方法、携帯端末装置に適用可能である。
【図面の簡単な説明】
【０１１０】
【図１】バックアップシステムの概略的な構成を示した構成ブロック図である。
【図２】バックアップシステムの概略的な機能を示した機能ブロック図である。
【図３】更新時管理部の動作を説明するための説明図である。
【図４】端末情報バックアップ方法の全体的な流れを示したフローチャートである。
【図５】内部メモリへの端末情報の保存の流れを示したフローチャートである。
【図６】外部メモリへの端末情報の保存の流れを示したフローチャートである。
【図７】サーバメモリへの端末情報の保存の流れを示したフローチャートである。
【図８】他端末メモリへの端末情報の保存の流れを示したフローチャートである。
【図９】端末情報復元方法の全体的な流れを示したフローチャートである。
【図１０】最終更新時の取得の流れを示したフローチャートである。
【図１１】内部メモリからの端末情報の復元の流れを示したフローチャートである。
【図１２】外部メモリからの端末情報の復元の流れを示したフローチャートである。
【図１３】サーバメモリからの端末情報の復元の流れを示したフローチャートである。
【図１４】他端末メモリからの端末情報の復元の流れを示したフローチャートである。
【符号の説明】
【０１１１】
１００  携帯端末装置
１１０  端末制御部
１１４  内部メモリ
１５０  外部メモリ
２２０  バックアップサーバ
２２２  サーバメモリ
３００  他の携帯端末装置
３０２  他端末メモリ
４００  端末情報保存部
４０２  タイマ管理部
４０４  端末情報復元部
４０６  更新時管理部
４５０  他端末メモリ管理部
【図１】
2008054178.tif 000003
【図２】
2008054178.tif 000004
【図３】
2008054178.tif 000005
【図４】
2008054178.tif 000006
【図５】
2008054178.tif 000007
【図６】
2008054178.tif 000008
【図７】
2008054178.tif 000009
【図８】
2008054178.tif 000010
【図９】
2008054178.tif 000011
【図１０】
2008054178.tif 000012
【図１１】
2008054178.tif 000013
【図１２】
2008054178.tif 000014
【図１３】
2008054178.tif 000015
【図１４】
2008054178.tif 000016